(57)【要約】【課題】カバーの開口部に形成される隙間を確実に防ぐとともに、配線が擦れて傷つくことを防止する配線引き込み構造及び配線引き込み方法を提供すること。【解決手段】屋外から屋内に配線６を引き込むための配線引き込み構造１であって、下地材３に形成された貫通孔からなる配線引き込み口２と、外側に膨出する膨出部４１と、膨出部４１の周囲に形成され下地材３に当接するフランジ部４２と、を有し、膨出部４１により配線引き込み口２を覆うカバー４と、を備え、カバー４は、膨出部４１の側面に形成され外側から配線６が挿通される開口部４３を備え、開口部４３の開口縁４３ａと下地材３との間には、配線６を挟持するとともに開口部４３を塞ぐシール材５が配置されている配線引き込み構造１である。【選択図】図１
2016012964.tif 000002
【特許請求の範囲】
【請求項１】
屋外から屋内に配線を引き込むための配線引き込み構造であって、
下地材に形成された貫通孔からなる配線引き込み口と、
外側に膨出する膨出部と、該膨出部の周囲に形成され前記下地材に当接するフランジ部と、を有し、前記膨出部により前記配線引き込み口を覆うカバーと、を備え、
前記カバーは、前記膨出部の側面に形成され外側から配線が挿通される開口部を備え、
前記開口部の開口縁と前記下地材との間には、前記配線を挟持するとともに前記開口部を塞ぐシール材が配置されている配線引き込み構造。
【請求項２】
前記配線は、前記開口部に挿通される手前で固定部材により前記下地材に固定される請求項１に記載の配線引き込み構造。
【請求項３】
前記下地材は、防水シートと、該防水シート上に積層された下地本体と、を含んで構成され、
前記カバーは、前記開口部が下方に開口するように配置され、
前記防水シートと前記下地本体との間には、前記配線引き込み口の上部を囲うように防水材が配置される請求項１又は２に記載の配線引き込み口構造。
【請求項４】
請求項１に記載の配線引き込み構造における配線引き込み方法であって、
前記カバーの取付時に前記開口部に対向する前記下地材の部分に配置した下側シール材上を跨いで前記配線を配置する工程と、
前記カバーの開口縁の内側に上側シール材を配置した状態で前記カバーを前記下地材に取り付けることにより、前記下側シール材と前記上側シール材とで前記配線を挟持するとともに前記開口部を塞ぐ工程と、を有する配線引き込み方法。
【発明の詳細な説明】
【技術分野】
【０００１】
本発明は、配線引き込み構造及び配線引き込み方法に関する。具体的には、屋外設備機器の配線を屋内に引き込むための配線引き込み構造及び配線引き込み方法に関する。
【背景技術】
【０００２】
従来、建物の屋根等に設置される太陽エネルギー利用装置等の配線を屋外から屋内に引き込む場合、配線引き込み口から雨水が屋内に入らないようにすることが求められる。そこで、配線引き込み口をカバーで覆い、カバーの側面に形成された開口部から配線を配線引き込み口に引き込む技術が知られている（特許文献１参照）。この技術では、開口部から雨水が入り込むことを防止するため、カバーの内側面の開口部側にシール部材を設け、このシール部材で配線を覆いながら開口部を塞いでいる。
【先行技術文献】
【特許文献】
【０００３】
【特許文献１】特許第３８０５１６６号公報
【発明の概要】
【発明が解決しようとする課題】
【０００４】
しかしながら、特許文献１の技術では、シール部材がカバーの内側面にのみ設けられているため、隙間ができやすく、雨水が入りやすいという問題があった。このため、特許文献の技術では、カバーの内部に水返し材を設けて、隙間から侵入した雨水を下方へ返し、雨水が入り込むことを抑制している。しかしながら、シール部材が配線を上方から覆うように配置されているだけであるため、配線がカバーの内部で動きやすく、水切り材等によって配線が擦れ、傷つけられるおそれがあった。
【０００５】
本発明は、カバーの開口部に形成される隙間を確実に防ぐとともに、配線が擦れて傷つくことを防止する配線引き込み構造及び配線引き込み方法を提供することを目的とする。
【課題を解決するための手段】
【０００６】
上記目的を達成するため本発明は、屋外から屋内に配線（例えば、後述の配線６）を引き込むための配線引き込み構造（例えば、後述の配線引き込み構造１）であって、下地材（例えば、後述の下地材３）に形成された貫通孔からなる配線引き込み口（例えば、後述の配線引き込み口２）と、外側に膨出する膨出部（例えば、後述の膨出部４１）と、該膨出部の周囲に形成され前記下地材に当接するフランジ部（例えば、後述のフランジ部４２）と、を有し、前記膨出部により前記配線引き込み口を覆うカバー（例えば、後述のカバー４）と、を備え、前記カバーは、前記膨出部の側面に形成され外側から配線が挿通される開口部（例えば、後述の開口部４３）を備え、前記開口部の開口縁（例えば、後述の開口縁４３ａ）と前記下地材との間には、前記配線を挟持するとともに前記開口部を塞ぐシール材（例えば、後述のシール材５）が配置されている配線引き込み構造を提供する。
【０００７】
前記配線は、前記開口部に挿通される手前で固定部材（例えば、後述の固定部材７）により前記下地材に固定されることが好ましい。
【０００８】
前記下地材は、防水シート（例えば、後述のルーフィング３２）と、該防水シート上に積層された下地本体（例えば、後述の下地本体３１）と、を含んで構成され、前記カバーは、前記開口部が下方に開口するように配置され、前記防水シートと前記下地本体との間には、前記配線引き込み口の上部を囲うように防水材（例えば、後述の防水材８）が配置されることが好ましい。
【０００９】
本発明の一側面の配線引き込み構造における配線引き込み方法であって、前記カバーの取付時に前記開口部に対向する前記下地材の部分に配置した下側シール材（例えば、後述の下側シール材５２）上を跨いで前記配線を配置する工程と、前記カバーの開口縁の内側に上側シール材（例えば、後述の上側シール材５１）を配置した状態で前記カバーを前記下地材に取り付けることにより、前記下側シール材と前記上側シール材とで前記配線を挟持するとともに前記開口部を塞ぐ工程と、を有する配線引き込み方法であることが好ましい。
【発明の効果】
【００１０】
本発明によれば、カバーの開口部に形成される隙間を確実に防ぐとともに、配線が擦れて傷つくことを防止する配線引き込み構造及び配線引き込み方法を提供することができる。
【図面の簡単な説明】
【００１１】
【図１】本実施形態の配線引き込み構造を有する屋根の斜視図である。
【図２】本実施形態の配線引き込み構造の斜視図である。
【図３】本実施形態の配線引き込み構造の上面図である。
【図４】図３のＡ−Ａ断面図である。
【図５】本実施形態の配線引き込み構造の施工途中の状態を示す図である。
【発明を実施するための形態】
【００１２】
以下、本発明の一実施形態について、図面を参照しながら詳しく説明する。
図１は、本実施形態に係る配線引き込み構造１を有する屋根１００の斜視図である。屋根１００は、建物の上部天面を塞ぐ下地材３の上に、太陽エネルギー利用装置１０２が取り付けられて構成されている。
下地材３は、下方に傾斜して配置される。下地材３には、後述する配線引き込み口２となる貫通孔が形成されている（図４参照）下地材３については、後に詳述する。
太陽エネルギー利用装置１０２は、複数の太陽光発電モジュール１２０と、縦桟１０３と、横桟１０４と、配線引き込み構造１と、を有する。
【００１３】
図１に示すように、太陽光発電モジュール１２０は、太陽電池パネル１２１及び太陽電池パネル１２１の周囲を覆うフレーム１２２からなる。
縦桟１０３は、屋根の傾斜方向に沿って、下地材３の上に配置される。
横桟１０４は、縦桟１０３の上に載置して取り付けられ、屋根１００の傾斜方向に直交する横方向に延びるように配置される。
【００１４】
配線６は、複数の太陽光発電モジュール１２０から、それぞれ延びる電線やアース等である。配線６は、縦桟１０３の上に載置された横桟１０４と下地材３の間の隙間を通して配線引き込み口２へ向かって配置される。配線６は、太陽光発電モジュール１２０の下と下地材３の上との間で、縦桟１０３又は横桟１０４等に沿って配置される整線トレイに載せられ、配線引き込み口２に向かって集められる。
【００１５】
図２は、本実施形態の配線引き込み構造１の斜視図である。図３は、配線引き込み構造１の上面図である。図２及び図３に示すように、配線引き込み構造１は、屋外から屋内に配線を引き込むものであり、配線引き込み口２（図３参照）と、下地材３と、カバー４と、シール材５と、上述の配線６と、固定部材７と、防水材８と、を有する。
【００１６】
図４は、図３のＡ−Ａ断面図である。図４に示すように、下地材３は、下地本体３１と、防水シートとしてのルーフィング３２と、野地板３３と、を含んで構成される。
【００１７】
下地本体３１は、防火鋼板で構成され、野地板３３全体を覆っている。
野地板３３は、木材で構成されている。野地板３３は、屋根１００の最も下層側に配置されている。
ルーフィング３２は、いわゆるアスファルトルーフィングと呼ばれるアスファルトを基材に染み込ませた非透水性のシートである。ルーフィング３２は、下地本体３１の下層に配置され、野地板３３と下地本体３１との間に位置している。
【００１８】
配線引き込み口２は、下地材３に形成された貫通孔からなる。配線引き込み口２は、屋外と屋内との間に連通する孔である。図３に示すように、配線引き込み口２の周囲は、封止材２１で下地本体３１、ルーフィング３２及び野地板３３の間の隙間が封止されている。配線引き込み口２は、複数の太陽光発電モジュール１２０から延びる配線６を、屋内へ挿通させる孔である。
【００１９】
防水材８は、本実施形態では、シリコーンのテープやシリコンコーキング、防水パッキン等が用いられる。図２及び図３に示すように、防水材８は、配線引き込み口２の上部を囲うように配置されている。具体的には、配線引き込み口２の上方を頂点として、配線引き込み口２の左右の下方へ向かって徐々に傾斜し、略への字に配置されている。図４に示すように、防水材８は、断面視で下地材３における下地本体３１とルーフィング３２との間に配置されている。
【００２０】
カバー４は、図３に示すように、配線引き込み口２及び配線引き込み口２に引き込まれる配線６の一部を覆うものである。カバー４は、上面視で長方形に形成され、断面視で幅方向の略中央側が凸となる形状をしている。カバー４は、膨出部４１と、フランジ部４２と、開口部４３と、を有する。
【００２１】
膨出部４１は、上面視でコの字状に形成され、外側（下地材３の配置される側に対向する側）に向かって膨出する。図４に示すように、膨出部４１は、配線引き込み口２を覆うように、内部に配線６が挿通可能な所定の高さを有し、また、複数の配線６を並べて配置するのに十分な幅を有する。
【００２２】
フランジ部４２は、膨出部４１の周囲に形成され、上面視でコの字状に形成される。フランジ部４２は、平坦な面で構成され、下地材３に当接する。図１及び２に示すように、フランジ部４２は、フランジ部４２を下地材３に固定することで、カバー４が配線引き込み口２を覆った状態で固定される。フランジ部４２は、下地材３に取り付けるためのネジ孔４２ａを有する（図５参照）。
【００２３】
開口部４３は、膨出部４１の側面に形成される。開口部４３は、屋根１００の傾斜に対して下方に開口するように配置され、配線引き込み口２よりも下方に位置する。開口部４３には、外側から配線６が挿通される。
【００２４】
図５は、配線引き込み構造１の施工途中の状態を示す図である。図５では、下地材３とカバー４が離間して示されている。
図５に示すように、シール材５は、カバー４の開口部４３の端部の外縁である開口縁４３ａと、下地材３との間に配置され、開口部４３を塞ぐ。シール材５は、弾性を有する防水性の素材で構成される。シール材５は、上側シール材５１と、下側シール材５２と、カバー周囲シール材５３と、を有する。
【００２５】
上側シール材５１は、カバー４の膨出部４１の開口縁４３ａの内側面に設けられる。上側シール材５１は、カバー４の開口部４３の上面を主に塞ぐ。
【００２６】
下側シール材５２は、下地材３の表面において、カバー４が下地材３に取り付けられた際に、カバー４の開口部４３に対向するとともに、上側シール材５１に対応する位置に配置される。下側シール材５２は、配線引き込み口２から、屋根１００の傾斜方向に対して下方に配置される。
【００２７】
カバー周囲シール材５３は、フランジ部４２の裏側の外周に沿って配置される。カバー周囲シール材５３は、フランジ部４２のネジ孔４２ａの周囲を覆うように配置されている。カバー周囲シール材５３は、図５の位置からカバー４のフランジ部４２を下地材３に当接させると、開口部４３側の端部が下側シール材５２の端部と連続するように配置されている。
【００２８】
固定部材７は、粘着テープである。固定部材７は、配線６がカバー４の開口部４３に挿通される手前で、複数の太陽光発電モジュール１２０から引き込まれる配線６を固定する。
【００２９】
次に、図５を参照して、本実施形態における配線引き込み方法を説明する。
まず、配線引き込み口２の上方では、下地材３の下地本体３１とルーフィング３２との間に、配線引き込み口２を囲うように防水材８を貼っておく。これにより、仮にルーフィング３２の下から水が入り込んできた場合でも、水が下地本体３１より上には行かないように構成する。
【００３０】
屋根１００上で、複数の太陽光発電モジュール１２０から延びる配線６は、下地材３と横桟１０４との間を通して配線引き込み口２の近傍へ集められる。カバー４の取付時に、これらの配線６は、下地材３に配置されている下側シール材５２を跨ぎ、下側シール材５２の上に一部が載った状態で、配線引き込み口２へ引き込まれるように配置される。
【００３１】
次に、カバー４の開口部４３における開口縁４３ａの内側に、上側シール材５１を取り付けた状態で、カバー４を下地材３に取り付ける。具体的には、カバー４の上側シール材５１と下地材３の下側シール材５２とを位置合わせし、カバー周囲シール材５３の開口部４３側の端部と下側シール材５２の幅方向外側の端部とが連続するように位置合わせする。そして、フランジ部４２のネジ孔４２ａを介してカバー４と下地材３とをネジ留めし、さらにフランジ部４２の周囲をカバー材粘着テープ４４で固定する。
カバー４を取り付けることで、下側シール材５２と上側シール材５１とが合わさって配線６が挟持され、カバー周囲シール材５３と下側シール材５２とがつながる。このため、カバー４の開口部４３が塞がれて、シール材５によりカバー４の内部に水が入らなくなる。シール材５は弾性を有しているので、間に配線６を挟んでも、配線６の形状に沿って変形し、隙間を防ぐことができる。また、カバー周囲シール材５３がネジ孔４２ａの周囲を覆うように幅方向外側に配置されているので、ネジ孔４２ａから雨水が流入することを防止できる。
【００３２】
その後、図２に示すように、配線６を手前側へ、すなわち屋根１００の傾斜方向に沿って延ばし、固定部材７で固定する。
【００３３】
本実施形態によれば、以下の効果が奏される。
本実施形態では、屋外から屋内に配線を引き込むための配線引き込み構造１を、下地材３に形成された貫通孔からなる配線引き込み口２と、外側に膨出する膨出部４１と、膨出部４１の周囲に形成され下地材３に当接するフランジ部４２と、を有し、膨出部４１により配線引き込み口２を覆うカバー４と、を含んで構成した。また、カバー４を、膨出部４１の側面に形成され外側から配線６が挿通される開口部４３を含んで構成し、開口部４３の開口縁４３ａと下地材３との間には、配線６を挟持するとともに開口部４３を塞ぐシール材５を配置した。
【００３４】
本実施形態によれば、シール材５が、カバー４の開口部４３における開口縁４３ａと下地材３との間で配線６を挟持するとともに開口部４３を塞いでいるので、開口部４３から雨水が入り込みにくく、下方からの水飛沫に対して防水性が向上する。また、配線６がシール材５により挟持されているため、カバー４の内部や開口部４３の近傍で動きにくい。よって、カバー４の内部で動きにくいので、配線６がカバー４の端部等と擦り合って傷つきにくくなる。さらに、水返し材等を設ける必要がなくなることによって、配線６が傷つくことが抑制されるとともに、配線引き込み構造１を設置するコストが低減される。
【００３５】
また、本実施形態では、配線６を、開口部４３に挿通される手前で固定部材７により下地材３に固定した。これにより、配線６が開口部４３の手前側に向かって延びるので、カバー４の開口部４３側の端部に当たって傷ついてしまうおそれがない。
【００３６】
また、本実施形態では、下地材３を、ルーフィング３２と、ルーフィング３２上に積層された下地本体３１と、を含んで構成し、カバー４を、開口部４３が下方に開口するように配置し、ルーフィング３２と下地本体３１との間に、配線引き込み口２の上部を囲うように防水材８を配置した。これにより、仮に雨水が配線引き込み口２からルーフィング３２の下に入り込んでも、ルーフィング３２と下地本体３１との間に防水材８が配置されているので、配線引き込み口２からルーフィング３２より上に雨水が入り込むことを防止できる。
【００３７】
また、本実施形態では、上記配線引き込み構造における配線引き込み方法を、カバー４の取付時に開口部４３に対向する下地材３の部分に配置した下側シール材５２上を跨いで配線６を配置する工程と、カバー４の開口縁４３ａの内側に上側シール材５１を配置した状態でカバー４を下地材３に取り付けることにより、下側シール材５２と上側シール材５１とで配線６を挟持するとともに開口部４３を塞ぐ工程と、を含んで構成した。
この方法では、配線６を、カバー４の開口縁４３ａの内側に配置した上側シール材５１と、下地材３に配置した下側シール材５２とにより挟持した。これにより、上記と同様の効果を奏することができる。また、下側シール材５２が下地材３に取り付けられているので、下地材３を伝って開口部４３に雨水が入り込むことを確実に防止することができる。また、カバー４を下地材３に取り付ける際の位置合わせが容易になる。
【００３８】
なお、本発明は上記実施形態に限定されるものではなく、本発明の目的を達成できる範囲での変形、改良等は本発明に含まれる。
例えば、上記実施形態では、防水材８は、略への字に配置されているが、これに限られない。防水材は、配線引き込み口２の上部を囲うように配置されれば、半円状やＵ字、コの字等、いずれの形状であってもよい。
また、上記実施形態では、カバー周囲シール材５３は、カバー４の幅方向外側に配置され、ネジ孔４２ａの周囲を覆うように配置されているが、カバー４の幅方向内側に配置して下側シール材５２と連続するように構成してもよい。
【符号の説明】
【００３９】
１      配線引き込み構造
２      配線引き込み口
３      下地材
４      カバー
５      シール材
６      配線
７      固定部材
８      防水材
３１    下地本体
３２    ルーフィング（防水シート）
４１    膨出部
４２    フランジ部
４３    開口部
４３ａ  開口縁
５１    上側シール
５２    下側シール材
【図１】
2016012964.tif 000003
【図２】
2016012964.tif 000004
【図３】
2016012964.tif 000005
【図４】
2016012964.tif 000006
【図５】
2016012964.tif 000007